(57)【特許請求の範囲】
【請求項１】
ハンガーレールに沿って複数枚のパネルを移動可能に支持し、前記パネルを召し合わせて室内空間を区画可能とし、前記各パネルには付勢手段の付勢力で動作する接天部材及び接床部材と、前記各パネルの移動方向の前後に配置される縦枠間で回転可能に支持される駆動軸と、前記駆動軸に取着されて該駆動軸の回転動作を昇降動作に変換するクランク装置と、前記縦枠に取着されて前記駆動軸の端部を回転可能に支持するとともに前記接天部材及び接床部材を操作する操作ユニットとを備えた間仕切りパネルにおいて、
前記操作ユニットは、
前記駆動軸に固着されるとともに前記付勢手段の付勢力に抗して前記接天部材及び接床部材を非作動位置に保持する収納カムと、
前記収納カムの動作を解除する開放カムと、
前記付勢手段の付勢力による前記接天部材及び接床部材の動作速度を抑制する速度抑制装置と
を備え、
前記クランク装置は、
第１の連結棒で前記接天部材に接続されるとともに、第２の連結棒で前記接床部材に接続され、
前記駆動軸とともに該駆動軸を中心として回転する長形状の回動部材と、
前記回動部材における長手方向の一端と前記第１の連結棒とを連結する第１のクランク材と、
前記回動部材における長手方向の他端と前記第２の連結棒とを連結する第２のクランク材と、
を備え、
前記第１及び第２のクランク材は円弧状にかつ互いに逆方向に湾曲した形状となり、
前記回動部材は、前記第１のクランク材と前記第２のクランク材が前記回動部材の上下に位置している状態から、前記第１のクランク材及び第２のクランク材の湾曲した形状の内側に取り囲まれるようにして、前記駆動軸を中心として２７０度の角度範囲で回転可能であり、
前記開放カムを操作することにより前記収納カムの動作を解除して、前記駆動軸の回転により前記回動部材を回転させて、前記付勢手段の付勢力で前記接天部材及び接床部材を動作させ、
前記速度抑制装置は、前記パネル内に設けられるとともに、前記駆動軸が挿通されて該駆動軸の回転速度を所定速度以下に制限するロータリーダンパーであることを特徴とする間仕切りパネルの接天接床装置。
【請求項２】
前記操作ユニットには、
前記収納カムの下方に設けられた開放板と、
前記収納カム、開放カム及び開放板を収容するケースと、をさらに備え、
前記開放カムは、前記開放板を介して前記収納カムの動作を解除し、
前記収納カムには、逆回転操作防止手段として、前記開放板に形成されたピンと係合可能な係止部を二つ設けるとともに、前記開放カムには、逆回転操作防止手段として、前記ケースの内面に当接可能な角部を設けたことを特徴とする請求項１記載の間仕切りパネルの接天接床装置。
【発明の詳細な説明】
【技術分野】
【０００１】
この発明は、室内空間を適宜に区画する間仕切りパネルに関するものである。
【背景技術】
【０００２】
間仕切りパネルは、多数枚のパネルがハンガーレールに沿って移動可能に支持され、各パネルをハンガーレールに沿って引き出して召し合わせることにより、室内空間を適宜に区画可能である。
【０００３】
十分な遮音性及び気密性を備えた間仕切りパネルでは、パネルの重量が嵩むため、操作性を向上させるためにモータの駆動力を使用してパネルを移動させる構成としたものが実用化されている。このような間仕切りパネルでは、操作スイッチの操作により、各パネルを自走させて、ハンガーレールに沿って引き出し操作、あるいは畳み込み操作が可能となっている。
【０００４】
また、各パネルには接天装置及び接床装置が備えられ、各パネルが召し合わされた状態で接天部材が天井面に押し付けられるとともに、接床部材が床面に押し付けられて、遮音性及び気密性が確保される。
【０００５】
図１０は、接天部材及び接床部材を駆動する駆動装置の一例を示す。すなわち、駆動軸１により回転される円板２の外周部に連接棒３ａ，３ｂが取着され、その円板２の回転に基づいて上下動する連接棒３ａ，３ｂにより接天装置及び接床装置が駆動される。円板２はパネルの厚み方向に配設され、駆動軸１はパネルの幅方向に沿って配設されている。
【０００６】
特許文献１には、上記のようなモータの駆動力で接天装置及び接床装置を駆動する間仕切りパネルが開示されている。
特許文献２には、接天装置及び接床装置を駆動するリンク機構が開示されている。
【特許文献１】特開平１１−１２４９３２号公報
【特許文献２】実開平４−２７０９１号公報
【発明の開示】
【発明が解決しようとする課題】
【０００７】
モータの駆動力を利用する間仕切りパネルでは、モータの動作を制御する制御装置が必要であり、その制御装置自身のコスト及びメンテナンスコストが高くなるという問題点がある。
【０００８】
また、図１０に示す構成では、接天装置及び接床装置の昇降ストロークは円板２の直径以上とすることはできず、昇降ストロークを大きくするためには円板２の直径を大きくする必要がある。円板２の直径を大きくすると、その円板２をパネル内に収容するためにパネルの厚みが増大し、その厚みの増大にともなって、パネルの強度を十分に確保するための補強材が必要となることから、パネルの重量が増大する。
【０００９】
一方、接天部材及び接床部材をばねの力でパネルから突出させて天井面及び床面に圧接させるようにした接天装置及び接床装置も提案されているが、接天部材及び接床部材が天井面及び床面に衝突するため、騒音が発生するという問題点がある。
【００１０】
この発明の目的は、パネルの接天操作及び接床操作を容易かつ迅速に行いながら騒音の発生を防止し、かつコストを低減し得る間仕切りパネルの接天接床装置を提供することにある。
【課題を解決するための手段】
【００１１】
請求項１では、ハンガーレールに沿って複数枚のパネルを移動可能に支持し、前記パネルを召し合わせて室内空間を区画可能とし、前記各パネルには付勢手段の付勢力で動作する接天部材及び接床部材と、前記各パネルの移動方向の前後に配置される縦枠間で回転可能に支持される駆動軸と、前記駆動軸に取着されて該駆動軸の回転動作を昇降動作に変換するクランク装置と、前記縦枠に取着されて前記駆動軸の端部を回転可能に支持するとともに前記接天部材及び接床部材を操作する操作ユニットとを備えた間仕切りパネルにおいて、前記操作ユニットは、前記駆動軸に固着されるとともに前記付勢手段の付勢力に抗して前記接天部材及び接床部材を非作動位置に保持する収納カムと、前記収納カムの動作を解除する開放カムと、前記付勢手段の付勢力による前記接天部材及び接床部材の動作速度を抑制する速度抑制装置とを備え、前記クランク装置は、第１の連結棒で前記接天部材に接続されるとともに、第２の連結棒で前記接床部材に接続され、前記駆動軸とともに該駆動軸を中心として回転する長形状の回動部材と、前記回動部材における長手方向の一端と前記第１の連結棒とを連結する第１のクランク材と、前記回動部材における長手方向の他端と前記第２の連結棒とを連結する第２のクランク材と、を備え、前記第１及び第２のクランク材は円弧状にかつ互いに逆方向に湾曲した形状となり、前記回動部材は、前記第１のクランク材と前記第２のクランク材が前記回動部材の上下に位置している状態から、前記第１のクランク材及び第２のクランク材の湾曲した形状の内側に取り囲まれるようにして、前記駆動軸を中心として２７０度の角度範囲で回転可能であり、前記開放カムを操作することにより前記収納カムの動作を解除して、前記駆動軸の回転により前記回動部材を回転させて、前記付勢手段の付勢力で前記接天部材及び接床部材を動作させ、前記速度抑制装置は、前記パネル内に設けられるとともに、前記駆動軸が挿通されて該駆動軸の回転速度を所定速度以下に制限するロータリーダンパーである。
【００１３】
請求項２では、前記操作ユニットには、前記収納カムの下方に設けられた開放板と、前記収納カム、開放カム及び開放板を収容するケースと、をさらに備え、前記開放カムは、前記開放板を介して前記収納カムの動作を解除し、前記収納カムには、逆回転操作防止手段として、前記開放板に形成されたピンと係合可能な係止部を二つ設けるとともに、前記開放カムには、逆回転操作防止手段として、前記ケースの内面に当接可能な角部を設けた。
【発明の効果】
【００１４】
本発明によれば、パネルの接天操作及び接床操作を容易かつ迅速に行いながら騒音の発生を防止し、かつコストを低減し得る間仕切りパネルの接天接床装置を提供することができる。
【発明を実施するための最良の形態】
【００１５】
以下、この発明を具体化した一実施の形態を図面に従って説明する。図１に示す間仕切りパネルは、天井面に沿って配設されるハンガーレール１１に多数枚のパネル１２がそれぞれランナー１３を介して移動可能に支持されている。
【００１６】
ハンガーレール１１の一端側に位置する壁面には、召し合わせ框１４が取着され、先頭のパネル１２を召し合わせ可能となっている。また、先頭のパネル１２を召し合わせ框１４に召し合わせた状態で、後続のパネル１２を先行するパネル１２に順次召し合わせ可能となっている。
【００１７】
各パネル１２の上縁部には、接天部材１５が上下動可能に支持され、各パネル１２の下縁部には接床部材１６が上下動可能に支持され、その接天部材１５及び接床部材１６は図２及び図３（ｂ）に示すようにパネル１２内に配設される接天接床装置１７により昇降駆動される。
【００１８】
前記接天接床装置１７は、パネル１２の縦枠１８間に駆動軸１９が回転可能に支持され、その駆動軸１９の中間部にクランク装置２０が取着されている。クランク装置２０には上部連結棒２１の下端部と、下部連結棒２２の上端部が連結され、上部連結棒２１の上端に前記接天部材１５が取着され、下部連結棒２２の下端に前記接床部材１６が取着される。
【００１９】
前記接天部材１５はパネル１２の上枠２３を支点とするコイルスプリング（付勢手段）２４ａにより常に上方へ付勢され、前記接床部材１６はパネル１２の下枠２５を支点とするコイルスプリング（付勢手段）２４ｂにより常に下方へ付勢されている。
【００２０】
前記クランク装置２０の具体的構成を図６〜図８に従って説明する。前記駆動軸１９は長円状の回動板（回動部材）２６の中間部に嵌着固定され、その回動板２６の両端部にクランク材２７ａ，２７ｂの一端が回動可能に連結されている。また、前記クランク材２７ａの他端に前記上部連結棒２１の下端部が接続され、前記クランク材２７ｂの他端に前記下部連結棒２２の上端部が接続されている。
【００２１】
前記クランク材２７ａ，２７ｂは、円弧状に湾曲した形状であり、図８に示すようにクランク材２７ａ，２７ｂが回動板２６の上下に位置する状態では、互いに逆方向に湾曲するように取着されている。また、クランク材２７ａ，２７ｂの内側の円弧は、前記駆動軸１９の径より大きい径で形成される。
【００２２】
また、図８に示す状態から駆動軸１９の回転に基づいて回動板２６が矢印Ａ方向に１８０度回動すると、図７に示すように、上部連結棒２１が下降し、下部連結棒２２が上昇する。このとき、クランク材２７ａ，２７ｂは駆動軸１９を回避し、同駆動軸１９の周囲を取り囲むように位置する。
【００２３】
また、図９に示すように、回動板２６は同方向にさらに９０度回動可能であり、このとき上部連結棒２１がさらに下降し、下部連結棒２２がさらに上昇する。
前記駆動軸１９の一端は、前記パネル１２の一方の縦枠１８に取着される操作ユニット２８に接続される。その操作ユニット２８の具体的構成を図４及び図５に従って説明する。
【００２４】
前記駆動軸１９の端部は、前記縦枠１８に固定されたケース２９に回転可能に支持されるとともに、その先端はパネル１２の召し合わせ面に露出されてハンドル受け３０が嵌着されている。また、駆動軸１９の先端には四角孔３１が開口され、その四角孔３１に図１に示す操作ハンドル３２を嵌合可能となっている。従って、四角孔３１に操作ハンドル３２を嵌合して回転操作することにより、駆動軸１９を回転操作可能となっている。
【００２５】
前記ケース２９内において、前記駆動軸１９には略円板状の収納カム３３が固着され、その収納カム３３には該収納カム３３の径方向外側に突出する係止部３４ａ，３４ｂが点対称状に２箇所形成されている。
【００２６】
前記収納カム３３の外周部において、前記係止部３４ａ，３４ｂの中間部には、前記駆動軸１９の軸方向に突出する突起３５が形成され、収納カム３３の回動にともなう突起３５の移動軌跡上にはケース２９から突出するストッパ３６が設けられている。従って、収納カム３３は突起３５がストッパ３６に当接するまでの範囲で回動可能である。
【００２７】
前記ケース２９内において、前記収納カム３３の下方には開放板３７が上下動可能に支持されている。前記開放板３７とケース２９の底辺との間にはコイルスプリング３８が配設され、そのコイルスプリング３８の付勢力により開放板３７は常時上方へ付勢されている。
【００２８】
前記開放板３７の上部には側方へ突出するピン３９が形成され、図４（ａ）に示すように、そのピン３９は前記収納カム３３の係止部３４ａ，３４ｂのいずれかに係合可能となっている。同図に示すようにピン３９が係止部３４ａに係合した状態では、収納カム３３の矢印Ｃ方向への回動が阻止される。また、このとき突起３５もストッパ３６の近傍に位置し、収納カム３３の矢印Ｂ方向への回動が阻止されるようになっている。
【００２９】
なお、図４（ａ）に示すように係止部３４ａがピン３９に係合しているとき、前記クランク装置２０は図７に示す状態となるように設定されている。
前記開放板３７の側方において、前記ケース２９には板状の開放カム４０が回動可能に支持されている。すなわち、開放カム４０の中心部に支軸４１が相対回動不能に嵌挿され、その支軸４１の両端部がケース２９に回転可能に支持されている。
【００３０】
前記支軸４１の一端はパネル１２の召し合わせ面に露出されてハンドル受け４２が嵌着されている。また、支軸４１の先端には四角孔４３が開口され、その四角孔４３に前記操作ハンドル３２を嵌合可能となっている。従って、四角孔４３に操作ハンドル３２を嵌合して回転操作することにより、開放カム４０を回転操作可能となっている。
【００３１】
前記開放板３７の一側下部には、開放カム４０側に突出する係合部４４が形成され、前記開放カム４０には係合部４４に上方から当接可能とした係止部４５が形成されている。そして、図４（ａ）に示す状態から開放カム４０を矢印Ｄ方向に回動させると、同図（ｂ）に示すように、開放板３７が下方へ押し下げられ、ピン３９と係止部３４ａとの係合が解除されるようになっている。
【００３２】
前記開放カム４０には、支軸４１に対し前記係合部４４の反対側に角部（逆回転操作防止手段）４７が形成されている。この角部４７は、開放カム４０を矢印Ｄ方向の逆方向に回転させようとするとき、ケース２９の内面に当接して、その回転を阻止するものである。
【００３３】
前記ケース２９に隣接する位置で、前記縦枠１８にはロータリーダンパー（速度抑制装置）４６が取着され、そのロータリーダンパー４６に前記駆動軸１９が挿通されている。そして、ロータリーダンパー４６は駆動軸１９の回転速度すなわち接天部材１５及び接床部材１６の動作速度を一定速度以下に制限するように動作する。
【００３４】
次に、上記のように構成された接天接床装置１７、クランク装置２０及び操作ユニット２８の動作を説明する。パネル１２をハンガーレール１１に沿って移動させる場合には、図６に示すように、接天部材１５及び接床部材１６をパネル１２の上枠２３及び下枠２５にほぼ収納した状態とする。この状態では、クランク装置２０は図７若しくは図９に示す状態であり、操作ユニット２８は図４（ａ）に示す状態である。
【００３５】
また、コイルスプリング２４ａ，２４ｂの付勢力により駆動軸１９に回転力が作用し、その回転力は収納カム３３に矢印Ｃ方向の回転力として作用するが、ピン３９と係止部３４ａとの係合により収納カム３３の回転が阻止されている。従って、駆動軸１９の回転が阻止され、接天部材１５及び接床部材１６がパネル１２の上枠２３及び下枠２５にほぼ収納された状態に保持される。
【００３６】
この状態から、支軸４１の四角孔４３に操作ハンドル３２を嵌合して、開放カム４０を矢印Ｄ方向に回動させる。すると、開放板３７が押し下げられて図４（ｂ）に示すように、ピン３９と係止部３４ａとの係合がはずれる。
【００３７】
この結果、駆動軸１９が自在に回転可能な状態となるため、コイルスプリング２４ａ，２４ｂの付勢力により接天部材１５が天井面に圧接され、接床部材１６が床面に圧接される。また、収納カム３３は駆動軸１９とともに矢印Ｃ方向に１８０度若しくは２７０度回転する。
【００３８】
このとき、ロータリーダンパー４６の動作により駆動軸１９の回転速度が所定速度以下に制限されるため、接天部材１５及び接床部材１６は天井面あるいは床面に緩やかに圧接される。
【００３９】
一方、接天部材１５及び接床部材１６の圧接を解除するには、操作ハンドル３２を駆動軸１９の四角孔３１に嵌合して、駆動軸１９及び収納カム３３を矢印Ｂ方向に回転させる。このとき、ピン３９はコイルスプリング３８の付勢力により収納カム３３の外周縁に摺接している。
【００４０】
クランク装置２０では、駆動軸１９の回転により回動板２６が回転される。そして、図８に示す状態から図７に示す状態まで１８０度回転されると、コイルスプリング２４ａの付勢力に抗して上部連結棒２１が下降して接天部材１５が天井面から離間し、コイルスプリング２４ｂの付勢力に抗して下部連結棒２２が上昇して接床部材１６が床面から離間する。
【００４１】
このとき、図４（ａ）に示すように、収納カム３３の係止部３４ａにピン３９が係合して、コイルスプリング２４ａ，２４ｂの付勢力による駆動軸１９の回転が阻止される状態となる。また、突起３５がストッパ３６に当接するため、収納カム３３の必要以上の回転が阻止される。従って、この状態で操作ハンドル３２を四角孔３１から外せば、パネル１２はハンガーレール１１に沿って移動可能な状態となる。
【００４２】
また、接天部材１５及び接床部材１６の圧接を解除するとき、収納カム３３を誤って逆方向すなわち矢印Ｃ方向に回動させようとすると、ピン３９が係止部３４ｂに係合して収納カム３３の逆回転が阻止されるようになっている。
【００４３】
上記のようなパネル１２で室内空間を区画する場合には、先頭のパネル１２をハンガーレール１１に沿って手動で移動させて召し合わせ框１４に召し合わせ、操作ハンドル３２で開放カム４０を回転させて接天接床装置１７を作動させる。
【００４４】
次いで、後続のパネル１２を召し合わせ、同様に接天接床装置１７を作動させる。このような動作を繰り返すことにより、室内空間を区画することができる。
また、パネル１２を畳み込む場合には、最後尾のパネル１２の接天接床装置１７の作動を解除して畳み込み位置に移動させ、同様な操作により順次先行パネルを畳み込めばよい。
【００４５】
上記のように構成された間仕切りパネルでは、次に示す作用効果を得ることができる。
（１）手動操作によりパネル１２をハンガーレール１１に沿って移動させて、室内空間の区画あるいは開放を行うことができる。
（２）操作ハンドル３２による開放カム４０の回転操作に基づいて、コイルスプリング３８の付勢力により接天接床装置１７を自動的に作動させて、パネル１２を天井面と床面との間に容易にかつ迅速に固定することができる。
（３）接天接床装置１７でパネル１２を天井面と床面との間に固定するとき、ロータリーダンパー４６により接天部材１５及び接床部材１６の昇降速度を制限することができる。従って、接天部材１５と天井面あるいは接床部材１６と床面との衝突による騒音の発生を防止することができる。
（４）操作ハンドル３２による収納カム３３の回動操作により、接天接床装置１７の作動を解除することができる。
（５）クランク装置２０は、回動板２６とクランク材２７ａ，２７ｂとで構成し、回動板２６を１８０度若しくは２７０度回動させることによりクランク材２７ａ，２７ｂを介して上部連結棒２１及び下部連結棒２２を昇降可能とした。従って、上部連結棒２１及び下部連結棒２２の昇降ストローク、すなわち接天部材１５及び接床部材１６の昇降ストロークを十分に確保することができる。
（６）クランク材２７ａ，２７ｂを、円弧状に湾曲した形状とし、互いに逆方向に湾曲するように回動板２６に取着したので、図７に示すように、接天接床装置１７の作動を解除したとき、クランク装置２０のパネル１２の厚さ方向の寸法を小さくすることができる。従って、接天部材１５及び接床部材１６の昇降ストロークを十分に確保しながら、パネル１２の厚さを縮小して、パネル１２の軽量化を図ることができる。
（７）パネル１２を軽量化することができるので、パネル１２を手動によりハンガーレール１１に沿って容易に移動させることができる。
（８）開放カム４０に角部４７を設けたことにより、開放カム４０の無用な逆回転操作を防止することができる。
（９）収納カム３３の係止部３４ａ，３４ｂと開放板３７のピン３９により、収納カム３３の無用な逆回転操作を防止することができる。
（１０）モータを使用することなく、パネルを移動可能とし、コイルスプリング２４ａ，２４ｂの付勢力で動作する接天接床装置１７を手動の操作ユニット２８で操作するので、コストを低減することができる。
（１１）パネル１２の軽量化にともない、パネル１２の補強材を減らすことができるので、コストの低減を図ることができる。
【００４６】
上記実施の形態は、以下の態様で実施してもよい。
・操作ユニット２８は、パネル１２の正面側から嵌合される操作ハンドル３２で操作するように構成することもできる。この場合には、操作ハンドルの回転を前記駆動軸に伝達するギヤ機構等が必要となる。
【図面の簡単な説明】
【００４７】
【図１】間仕切りパネルを示す正面図である。
【図２】接天接床装置を示す正面図である。
【図３】（ａ）（ｂ）はパネルを示す側面図である。
【図４】（ａ）（ｂ）は操作ユニットの動作を示す正面図である。
【図５】操作ユニットを示す断面図である。
【図６】接天接床装置を示す側面図である。
【図７】クランク装置を示す側面図である。
【図８】クランク装置を示す側面図である。
【図９】クランク装置を示す側面図である。
【図１０】従来例のクランク装置を示す側面図である。
【符号の説明】
【００４８】
１１…ハンガーレール、１２…パネル、１５…接天部材、１６…接床部材、１９…駆動軸、２０…クランク装置、２１，２２…連結棒、２４…付勢手段（コイルスプリング）、２７ａ，２７ｂ…クランク材、２８…操作ユニット、３３…収納カム、４０…開放カム、４６…速度抑制装置（ロータリーダンパー）。
【図１】
0004820626.tif 000002
【図２】
0004820626.tif 000003
【図３】
0004820626.tif 000004
【図４】
0004820626.tif 000005
【図５】
0004820626.tif 000006
【図６】
0004820626.tif 000007
【図７】
0004820626.tif 000008
【図８】
0004820626.tif 000009
【図９】
0004820626.tif 000010
【図１０】
0004820626.tif 000011